(57)【要約】【課題】コンテンツを光ディスクにより提供する場合に、コンテンツの不正コピーや不正入手を防止し、ユーザの嗜好、特性に合わせたコンテンツを提供する。【解決手段】初回のコンテンツ購入時には、端末からコンテンツ配信サーバに、ディスクの識別情報と、ユーザ情報とを送信し、ユーザ情報とコンテンツ配信サーバよりダウンロードされたコンテンツを書き込む。次の追加コンテンツ購入時には、初回のコンテンツが書き込まれた光ディスクを端末に設置する。端末は、ディスクの識別情報と書き込まれたユーザ情報と、コンテンツの情報をコンテンツ配信サーバに送信し、コンテンツ配信サーバで購入の正当性を判断して、正当と判断したときに、追加コンテンツをダウンロードをさせて、端末がその光ディスクに追加コンテンツを書き込む。【選択図】図４
2009093476.tif 000002
【特許請求の範囲】
【請求項１】
光ディスクにコンテンツを書き込むことによりコンテンツを提供するコンテンツ提供システムにおいて、
コンテンツ配信サーバと、
前記コンテンツ配信サーバにネットワークにより接続された端末とを備え、
前記端末は、
ユーザ情報を入力する手段と、
前記コンテンツ配信サーバに、前記ユーザ情報と光ディスクに書き込まれた情報とを送信する手段と、
前記コンテンツ配信サーバからコンテンツを受信し、光ディスクに書き込む手段とを有し、
前記コンテンツ配信サーバは、
ユーザ情報と、ディスクの識別情報と、ユーザのコンテンツの購入履歴とを蓄積するデータベースとを有し、
前記端末に、コンテンツを提供するための光ディスクが設置されたときに、
前記端末は、前記コンテンツ配信サーバに、ディスクの識別情報と、ユーザ情報と、前記ディスクの識別情報を有する光ディスクによって前記ユーザ情報を有するユーザに対してコンテンツが提供された旨の情報とを送信し、
前記端末は、前記ユーザ情報と、前記コンテンツ配信サーバからダウンロードされたコンテンツを前記光ディスクに書き込み、
前記コンテンツ配信サーバは、前記端末から送信されてきた情報をデータベースに蓄積し、
前記端末は、前記コンテンツが書き込まれた光ディスクに追加して、追加コンテンツを提供するときに、前記ディスクの識別情報と、前記光ディスクに書き込まれたユーザ情報と、前記光ディスクに書き込まれたコンテンツの情報とを前記コンテンツ配信サーバに送信し、
前記コンテンツ配信サーバは、前記端末から送信される前記ディスクの識別情報と、前記光ディスクに書き込まれたユーザ情報と、前記光ディスクに書き込まれたコンテンツの情報と、前記データベースに蓄積された前回ディスクの識別情報の光ディスクに対して、そのユーザ情報を有するユーザがコンテンツを提供された旨の情報とに基づいて、追加コンテンツの購入の正当性を判断し、
前記コンテンツ配信サーバは、追加コンテンツの購入が正当であるときと判断したときに、追加コンテンツを前記端末に前記ネットワークを介して送信し、
前記端末は、送信される前記追加コンテンツを前記光ディスクに書き込むことを特徴とするコンテンツ提供システム。
【請求項２】
前記端末は、
プログラムを実行する制御部を有し、
前記端末に、コンテンツを提供するための光ディスクが設置されたときに、
前記端末は、前記ユーザ情報と、前記コンテンツ配信サーバからダウンロードされたコンテンツに加えて、追加コンテンツ提供プログラムを書き込み、
前記端末は、前記コンテンツが書き込まれた光ディスクに追加して、コンテンツを提供するときに、前記追加コンテンツ提供プログラムを実行することにより、前記光ディスクの識別処理と、前記ディスクの識別情報と、前記光ディスクに書き込まれたユーザ情報と、前記光ディスクに書き込まれたコンテンツの情報とを前記コンテンツ配信サーバに送信する送信処理と、前記追加コンテンツの前記光ディスクへの書き込み処理をおこなうことを特徴とする請求項１記載のコンテンツ提供システム。
【請求項３】
光ディスクにコンテンツを書き込むことによりコンテンツを提供するコンテンツ提供システムにおいて、
コンテンツ配信サーバと、
前記コンテンツ配信サーバにネットワークにより接続された端末とを備え、
前記端末は、
ユーザ情報を入力する手段と、
前記コンテンツ配信サーバに、前記ユーザ情報と光ディスクに書き込まれた情報とを送信する手段と、
前記コンテンツ配信サーバからコンテンツを受信し、光ディスクに書き込む手段とを有し、
前記コンテンツ配信サーバは、
ユーザ情報と、ディスクの識別情報と、ユーザのコンテンツの購入履歴とを蓄積するデータベースとを有し、
前記端末に、コンテンツを提供するための光ディスクが設置されたときに、
前記端末は、前記コンテンツ配信サーバに、ディスクの識別情報と、ユーザ情報と、前記ディスクの識別情報を有する光ディスクによって前記ユーザ情報を有するユーザに対してコンテンツが提供された旨の情報とを送信し、
前記コンテンツ配信サーバは、前記端末から送信されてきた情報をデータベースに蓄積し、
前記端末は、前記コンテンツが書き込まれた光ディスクに追加して、追加コンテンツを提供するときに、前記ディスクの識別情報と、前記ユーザ情報とを前記コンテンツ配信サーバに送信し、
前記コンテンツ配信サーバは、前記端末から送信される前記ディスクの識別情報と、前記ユーザ情報と、前記データベースに蓄積された前回ディスクの識別情報の光ディスクに対して、そのユーザ情報を有するユーザがコンテンツを提供された旨の情報とに基づいて、追加コンテンツの購入の正当性を判断し、
前記コンテンツ配信サーバは、追加コンテンツの購入が正当であるときと判断したときに、追加コンテンツを前記端末に前記ネットワークを介して送信し、
前記端末は、送信される前記追加コンテンツを前記光ディスクに書き込むことを特徴とするコンテンツ提供システム。
【請求項４】
前記光ディスクが二層の記録形式の光ディスクであって、
前記ユーザ情報と、初回のコンテンツが、二層の記録層の第一層目に書き込まれ、追加コンテンツが、二層の記録層の第二層目に書き込まれることを特徴とする請求項１記載のコンテンツ提供システム。
【請求項５】
前記光ディスクが両面の記録形式の光ディスクであって、
前記ユーザ情報と、初回のコンテンツが、第一面目の記録層に書き込まれ、追加コンテンツが、第二面目の記録層に書き込まれることを特徴とする請求項１記載のコンテンツ提供システム。
【請求項６】
前記光ディスクが二層の記録形式の光ディスクであって、
初回のコンテンツが、二層の記録層の第一層目に書き込まれ、追加コンテンツが、二層の記録層の第二層目に書き込まれることを特徴とする請求項３記載のコンテンツ提供システム。
【請求項７】
前記光ディスクが両面の記録形式の光ディスクであって、
初回のコンテンツが、第一面目の記録層に書き込まれ、追加コンテンツが、第二面目の記録層に書き込まれることを特徴とする請求項３記載のコンテンツ提供システム。
【請求項８】
前記二層の記録層の第一層目が、読み出し可能で書き込み不可のディスク仕様であり、前記二層の記録層の第二層目が、書き込み可能なディスク仕様であることを特徴とする請求項６記載のコンテンツ提供システム。
【請求項９】
前記第一面目の記録層が、読み出し可能で書き込み不可のディスク仕様であり、第二面目の記録層が、書き込み可能なディスク仕様であることを特徴とする請求項７記載のコンテンツ提供システム。
【請求項１０】
光ディスクにコンテンツを書き込むことによりコンテンツを提供するコンテンツ提供方法において、
初回のコンテンツの購入時に、第一の情報処理装置に、ユーザ情報を入力するステップと、
前記第一の情報処理装置が、初回のコンテンツと、前記ユーザ情報とを光ディスクに書き込むステップと、
前記第一の情報処理装置が、ディスクの識別情報と、前記ユーザ情報と、前記ディスクの識別情報を有する光ディスクによって前記ユーザ情報を有するユーザに対してコンテンツが提供された旨の情報とを、第二の情報処理装置に送信するステップと、
前記第二の情報処理装置が、送信されてきた前記ディスクの識別情報と、前記ユーザ情報と、前記ディスクの識別情報を有する光ディスクによって前記ユーザ情報を有するユーザに対してコンテンツが提供された旨の情報とを蓄積するステップと、
前記追加コンテンツの購入時に、第三の情報処理装置に、前記初回のコンテンツと、前記ユーザ情報とが書き込まれた光ディスクが設置されるステップと、
前記第三の情報処理装置が、前記光ディスクに書き込まれた前記ユーザ情報と、コンテンツに関する情報と、ディスクの識別情報とを、前記第二の情報処理装置に送信するステップと、
前記第二の情報処理装置が、初回のコンテンツ購入時に、送信されてきた前記ディスクの識別情報と、前記ユーザ情報と、前記ディスクの識別情報を有する光ディスクによって前記ユーザ情報を有するユーザに対してコンテンツが提供された旨の情報と、今回の追加コンテンツ購入時に送信されたきた前記光ディスクに書き込まれた前記ユーザ情報と、コンテンツに関する情報と、ディスクの識別情報とに基づき、追加コンテンツの購入の正当性を判断するステップと、
前記第三の情報処理装置により、追加コンテンツの購入が正当であると判断されたときに、前記第一の情報処理装置は、追加コンテンツを前記光ディスクに書き込むことを特徴とするコンテンツ提供方法。
【請求項１１】
光ディスクにコンテンツを書き込むことによりコンテンツを提供するコンテンツ提供方法において、
初回のコンテンツの購入時に、第一の情報処理装置に、ユーザ情報を入力するステップと、
前記第一の情報処理装置が、ディスクの識別情報と、前記ユーザ情報と、前記ディスクの識別情報を有する光ディスクによって前記ユーザ情報を有するユーザに対してコンテンツが提供された旨の情報とを、第二の情報処理装置に送信するステップと、
前記第二の情報処理装置が、送信されてきた前記ディスクの識別情報と、前記ユーザ情報と、前記ディスクの識別情報を有する光ディスクによって前記ユーザ情報を有するユーザに対してコンテンツが提供された旨の情報とを蓄積するステップと、
前記追加コンテンツの購入時に、第三の情報処理装置に、前記初回のコンテンツが書き込まれた光ディスクが設置されるステップと、
前記第三の情報処理装置が、前記ユーザ情報と、コンテンツに関する情報と、ディスクの識別情報とを、前記第二の情報処理装置に送信するステップと、
前記第二の情報処理装置が、初回のコンテンツ購入時に、送信されてきた前記ディスクの識別情報と、前記ユーザ情報と、前記ディスクの識別情報を有する光ディスクによって前記ユーザ情報を有するユーザに対してコンテンツが提供された旨の情報と、今回の追加コンテンツ購入時に送信されたきた前記ユーザ情報と、コンテンツに関する情報と、ディスクの識別情報とに基づき、追加コンテンツの購入の正当性を判断するステップと、
前記第三の情報処理装置により、追加コンテンツの購入が正当であると判断されたときに、前記第一の情報処理装置は、追加コンテンツを前記光ディスクに書き込むことを特徴とするコンテンツ提供方法。
【請求項１２】
前記光ディスクが二層の記録形式の光ディスクであって、
前記ユーザ情報と、初回のコンテンツが、二層の記録層の第一層目に書き込まれ、追加コンテンツが、二層の記録層の第二層目に書き込まれることを特徴とする請求項１０記載のコンテンツ提供方法。
【請求項１３】
前記光ディスクが両面の記録形式の光ディスクであって、
前記ユーザ情報と、初回のコンテンツが、第一面目の記録層に書き込まれ、追加コンテンツが、第二層目の記録層に書き込まれることを特徴とする請求項１０記載のコンテンツ提供方法。
【請求項１４】
前記光ディスクが二層の記録形式の光ディスクであって、
初回のコンテンツが、二層の記録層の第一層目に書き込まれ、追加コンテンツが、二層の記録層の第二層目に書き込まれることを特徴とする請求項１１記載のコンテンツ提供方法。
【請求項１５】
前記光ディスクが両面の記録形式の光ディスクであって、
初回のコンテンツが、第一面目の記録層に書き込まれ、追加コンテンツが、第二面目の記録層に書き込まれることを特徴とする請求項１１記載のコンテンツ提供方法。
【請求項１６】
前記二層の記録層の第一層目が、読み出し可能で書き込み不可のディスク仕様であり、前記二層の記録層の第二層目が、書き込み可能なディスク仕様であることを特徴とする請求項１４記載のコンテンツ提供システム。
【請求項１７】
前記第一面目の記録層が、読み出し可能で書き込み不可のディスク仕様であり、第二面目の記録層が、書き込み可能なディスク仕様であることを特徴とする請求項１５記載のコンテンツ提供システム。
【請求項１８】
コンテンツを書き込むことによりコンテンツを提供するための光ディスクにおいて、
ディスクの識別情報と、
ユーザ情報と、
第一のコンテンツとが書き込まれ、
前記ディスクの識別情報と、前記ユーザ情報と、前記第一のコンテンツとの正当性を判断することにより、第二のコンテンツが書き込まれることを特徴とする光ディスク。
【請求項１９】
コンテンツを書き込むことによりコンテンツを提供するための光ディスクにおいて、
ディスクの識別情報と、
第一のコンテンツとが書き込まれ、
前記ディスクの識別情報と、前記第一のコンテンツとの正当性を判断することにより、第二のコンテンツが書き込まれることを特徴とする光ディスク。
【請求項２０】
前記光ディスクが二層の記録形式の光ディスクであって、
前記ユーザ情報と、前記第一のコンテンツが、二層の記録層の第一層目に書き込まれ、前記第二のコンテンツが、二層の記録層の第二層目に書き込まれることを特徴とする請求項１８記載の光ディスク。
【請求項２１】
前記光ディスクが両面の記録形式の光ディスクであって、
前記ユーザ情報と、前記第一のコンテンツが、第一面目の記録層に書き込まれ、前記第二のコンテンツが、第二面目の記録層に書き込まれることを特徴とする請求項１８記載の光ディスク。
【請求項２２】
前記二層の記録層の第一層目が、読み出し可能で書き込み不可のディスク仕様であり、前記二層の記録層の第二層目が、書き込み可能なディスク仕様であることを特徴とする請求項２０記載のコンテンツ提供システム。
【請求項２３】
前記第一面目の記録層が、読み出し可能で書き込み不可のディスク仕様であり、第二面目の記録層が、書き込み可能なディスク仕様であることを特徴とする請求項２１記載のコンテンツ提供システム。
【請求項２４】
前記光ディスクが二層の記録形式の光ディスクであって、
前記ユーザ情報と、前記第一のコンテンツが、二層の記録層の第一層目に書き込まれ、前記第二のコンテンツが、二層の記録層の第二層目に書き込まれることを特徴とする請求項１９記載の光ディスク。
【請求項２５】
前記光ディスクが両面の記録形式の光ディスクであって、
前記ユーザ情報と、前記第一のコンテンツが、第一面目の記録層に書き込まれ、前記第二のコンテンツが、第二面目の記録層に書き込まれることを特徴とする請求項１９記載の光ディスク。
【請求項２６】
前記二層の記録層の第一層目が、読み出し可能で書き込み不可のディスク仕様であり、前記二層の記録層の第二層目が、書き込み可能なディスク仕様であることを特徴とする請求項２４記載のコンテンツ提供システム。
【請求項２７】
前記第一面目の記録層が、読み出し可能で書き込み不可のディスク仕様であり、第二面目の記録層が、書き込み可能なディスク仕様であることを特徴とする請求項２５記載のコンテンツ提供システム。
【発明の詳細な説明】
【技術分野】
【０００１】
本発明は、コンテンツ提供システム、コンテンツ提供方法、および、光ディスクに係り、特に、著作権により保護すべきコンテンツを光ディスクによる提供する場合に、ユーザに対して、興味を持つ追加のコンテンツを提供するのに用いて好適なコンテンツ提供システム、コンテンツ提供方法、および、光ディスクに関する。
【背景技術】
【０００２】
現在のデジタル技術の発展により、映像、音声などのコンテンツは、デジタル化されて提供され、ユーザの情報処理機器で再生するスタイルが一般的になってきている。
【０００３】
このような提供方法としては、サーバ側にコンテンツを蓄積しておき、ネットワークを介して、ユーザが所望のコンテンツをダウンロードして提供する形態がある。ユーザは、自分の端末からユーザＩＤ、パスワードなどを入力し、サーバ側で認証をおこない、正当な購入者と認めたときに、コンテンツのダウンロードを許可する。
【０００４】
このような提供方法に関して、特許文献１には、ユーザにアルバムアプリケーションを購入させ、それに基づいてコンテンツを提供するコンテンツ販売方法が開示されている。特許文献２には、コンテンツの購入履歴とコンテンツの操作履歴をデータベースにより管理し、ユーザにとって最適なコンテンツを推奨して、販売する技術が開示されている。
【０００５】
また、別の提供形態としては、光ディスクなどの媒体にコンテンツを書き込み、販売する形態がある。ユーザは、その媒体を購入して、それを映像機器やＰＣなどで再生して、コンテンツを楽しむことができる。
【０００６】
【特許文献１】特開平２００３−９９６５８号公報
【特許文献２】特開平２００４−１３２３１号公報
【発明の開示】
【発明が解決しようとする課題】
【０００７】
コンテンツの提供形態として、サーバ側にネットワークを介して提供する場合には、ダウンロード後には、コンテンツ提供者の管理を離れてしまうために、コンテンツを不正コピーを防止し、著作権をいかに保護するかが問題となる。
【０００８】
光ディスクなどの媒体により、ユーザが購入した場合には、コンテンツ提供者は、ネットワークにより提供する形態と比較して、個々のユーザに対する購入履歴などを把握することができず、ビジネスを拡大するチャンスを失う恐れがあるという問題点がある。一般に、映画のコンテンツを購入したユーザは、興味や関心からすれば、その映画のタイトルの続編を見る潜在的な可能性があると考えられる。したがって、光ディスクなどの媒体により、コンテンツを提供する場合に、ユーザの嗜好、特性に合わせてコンテンツの購入を促進させることが問題となる。
【０００９】
本発明は、上記問題点を解決するためになされたもので、その目的は、コンテンツを光ディスクにより提供する場合に、コンテンツの不正コピーや不正入手を防止し、ユーザの嗜好、特性に合わせたコンテンツを提供することにある。
【課題を解決するための手段】
【００１０】
本発明のコンテンツ提供システムは、コンテンツを配信するためのコンテンツ配信サーバと、コンテンツ配信サーバにネットワークにより接続された端末とからなる。
【００１１】
初回にコンテンツを購入するときには、端末に光ディスクを設置し、会員カードの情報をカードリーダなどの手段により読み取らせて、コンテンツ配信サーバに、ディスクの識別情報と、ユーザ情報とを送信する。
【００１２】
コンテンツ配信サーバでは、ディスクの識別情報と、ユーザ情報と、ディスクの識別情報を有する光ディスクによってユーザ情報を有するユーザに対してコンテンツが提供された旨の情報を、データベースに蓄積する。
【００１３】
端末では、光ディスクにユーザ情報とコンテンツ配信サーバよりダウンロードされたコンテンツを書き込む。
【００１４】
そして、ユーザが追加のコンテンツを購入するときには、端末に、初回のコンテンツが書き込まれた光ディスクを設置する。
【００１５】
端末では、ディスクの識別情報と、光ディスクに書き込まれたユーザ情報と、光ディスクに書き込まれたコンテンツの情報とをコンテンツ配信サーバに送信する。
【００１６】
コンテンツ配信サーバは、初回の購入時に送信されてきたデータベースに蓄積された情報と、追加コンテンツの購入時に送信されてきたディスクの識別情報と、光ディスクに書き込まれたユーザ情報と、光ディスクに書き込まれたコンテンツの情報情報とに基づいて、追加コンテンツの購入の正当性を判断し、正当と判断したときには、端末への追加コンテンツのダウンロードを許可する。
【００１７】
端末では、光ディスクにダウンロードされた追加コンテンツを書き込む。
【００１８】
また、初回のコンテンツ購入時に、追加コンテンツ購入プログラムを書き込んで置き、自宅のＰＣなどで実行することにより、追加コンテンツの購入をおこなう形態も可能である。
【００１９】
また、初回のコンテンツ購入時には、コンテンツはパッケージとして提供され、光ディスクに、ディスクの識別情報と、コンテンツのみ書いておき、追加のコンテンツ購入時に、ユーザ情報を用いて追加コンテンツの正当性を判断する形態も可能である。
【００２０】
光ディスクが二層の記録形式の光ディスクであるときには、初回のコンテンツを、二層の記録層の第一層目に書き込み、追加コンテンツを、二層の記録層の第二層目に書き込むようにすればよい。
【００２１】
また、光ディスクが両面の記録形式の光ディスクであるときに、初回のコンテンツを、第一面目の記録層に書き込み、追加コンテンツを、第二面目の記録層に書き込むようにすればよい。
【発明の効果】
【００２２】
本発明によれば、コンテンツを光ディスクにより提供する場合に、コンテンツの不正コピーや不正入手を防止し、ユーザの嗜好、特性に合わせたコンテンツを提供することができる。
【発明を実施するための最良の形態】
【００２３】
以下、本発明に係る一実施形態を、図１ないし図１１を用いて説明する。
【００２４】
〔実施形態１〕
以下、本発明に係る第一の実施形態を、図１ないし図５を用いて説明する。
先ず、図１および図２を用いて本発明の第一の実施形態に係るコンテンツ提供システムのシステム構成を説明する。
図１は、本発明の第一の実施形態に係るコンテンツ提供システムのシステム構成図である。
図２は、本発明の第一の実施形態に係るコンテンツ提供システムのハードウェア構成図である。
【００２５】
本実施形態のコンテンツ提供システムのシステム構成は、図１に示されるように、コンテンツ配信サーバ００とダウンロード端末１０が、ネットワーク５０により接続された構成である。
【００２６】
コンテンツ配信サーバ００は、図２に示されるように、コンテンツ処理部０１、制御部０２、ハードディスクドライブ０３、ネットワークＩ／Ｆ部０４からなる。
【００２７】
コンテンツ処理部０１は、ハードディスクドライブ０３に格納されたコンテンツ１（２４０）に関する処理をおこなう部分である。制御部０２は、コンテンツ配信サーバ０２全体の制御をおこなう。ハードディスクドライブ０３に格納されたコンテンツ１（２４０）は、ネットワークＩ／Ｆ部０４により、ネットワーク５０を介してダウンロード端末に送られる。
【００２８】
ダウンロード端末１０は、図２に示されるように、ダウンロード処理部１１、制御部１２、光ピックアップ１３、ハードディスクドライブ１４、ネットワークＩ／Ｆ部１５からなる。また、図１に示されるように、外部インタフェースとして、表示部１６、入力部１７、カードリーダ１８を備えている。
【００２９】
ダウンロード処理部１１は、ネットワーク５０を介して送られてきたコンテンツ配信サーバ００上のコンテンツを、ネットワークＩ／Ｆ１５を介して受け取るよう動作する部分である。
【００３０】
制御部１２は、ダウンロード端末１０全体の制御、ダウンロードに関する処理、光ディスクにコンテンツを書き込む処理などの指示を与える。
【００３１】
コンテンツ配信サーバ００上のコンテンツは、ハードディスクドライブ１４上に、コンテンツ２（２４１）のように格納され、制御部１２の指示により、光ディスク上に、コンテンツ３（２４２）として書き込まれる。
【００３２】
カードリーダ１８は、会員カード２５０の情報を読み取る装置である。表示部１６は、ユーザに対する情報、例えば、処理情報、コンテンツ情報、光ディスクに関する情報を表示する部分である。入力部１７は、ユーザが指示やデータを入力する部分であり、例えば、タッチパネルや押しボタンである。
【００３３】
次に、上記の図１および図２と、図３および図４を用いて本発明の第一の実施形態に係るコンテンツ提供システムにより、ユーザがコンテンツを購入するときの処理について説明する。
図３は、ユーザがコンテンツを購入するときの表示部１６に表示されるときの表示画面と光ディスクの内容を対比して示した図である。
図４は、コンテンツ配信サーバ上での処理を示すフローチャートである。
（I）ユーザがコンテンツを新規購入する場合
ユーザは、予め会員登録をして置き、コンテンツ配信サーバ００のデータベースにユーザ情報を登録しておく。
【００３４】
そして、コンテンツ提供者は、そのユーザに対してＩＣ２５１にユーザ情報が記憶された会員カード２５０を発行する。
【００３５】
ユーザがコンテンツを購入しようとするときには、ダウンロード端末１０のリーダ１５にユーザ情報を読み取らせて、コンテンツ配信サーバ００に認証させる。カードを発行しないときには、ユーザＩＤ、パスワードなどを入力する形態にしてもよい。
【００３６】
コンテンツの料金は、ユーザがダウンロード端末００に現金を投入するようにしてもよいし、会員カード２５０のクレジット機能により、ユーザの口座から引き落とされるようにしてもよい。
【００３７】
ダウンロード端末１０には、コンテンツが書き込まれていないブランクの光ディスクが用意されている。ユーザがコンテンツを購入するには、表示部１６に表示されたコンテンツのタイトルを指定する。次に、ダウンロード端末１０は、ユーザ情報と、コンテンツを書き込むディスクの識別情報２０１と、指定されたコンテンツの情報をコンテンツ配信サーバ００に、ネットワークを介してアップロードする。
【００３８】
コンテンツ配信サーバ００は、そのユーザ情報によって、コンテンツを所得するユーザのユーザ認証をおこない、正当なユーザのときには、そのディスクの識別情報をデータベースに保存する。そして、指定されたコンテンツをダウンロード端末１０にネットワークを介してダウンロードする。そして、ユーザがコンテンツを購入し、そのコンテンツがディスクの識別情報２０１を有する光ディスク２００に書き込まれたという履歴をデータベースに登録する。
【００３９】
ダウンロードされたコンテンツは、ダウンロード端末１０のハードディスクドライブ１４内に保存される。
【００４０】
そして、光ディスク２００にユーザ情報と共に、ダウンロードされたコンテンツを書き込む。光ディスク２００は、書き込む可能なＤＶＤ−ＲＷやＤＶＤ−Ｒのような媒体である必要がある。
【００４１】
上記の説明では、ユーザは、予めカードの発行を受けるようにしたが、初回のコンテンツ発行時に、ユーザＩＤを付与して会員として登録するようにしてもよい。
（II）ユーザがコンテンツを追加購入する場合
ユーザがコンテンツを追加購入する場合には、ユーザ情報と前回購入したコンテンツが書き込まれた光ディスク２００を用意する。この場合には、カードを読み取らせたり、ユーザＩＤを入力する必要はない。
【００４２】
ユーザがコンテンツを追加購入しようとするときには、ダウンロード端末１０にユーザ情報とコンテンツ１が書き込まれた光ディスク２００を設置する。
【００４３】
表示部１６には、図４（ａ）に示されるコンテンツ１メニュー５０１が表示される。コンテンツ１メニュー５０１は、コンテンツ１の「再生開始」と「追加コンテンツの購入」からなる「基本メニュー」と、この光ディスクに書き込んだユーザ情報が表示される「基本登録情報」のエリアがある。
【００４４】
ユーザは、ここで、「基本メニュー」の中から、「追加コンテンツの購入」を指示する。
【００４５】
ダウンロード端末１０は、「追加コンテンツの購入」を指示されると、ネットワーク５０を介して、ユーザ情報（その内でサーバ側が必要なもの）と、書き込まれたコンテンツ情報と、ディスクの識別情報がコンテンツ配信サーバ００に送信される。
【００４６】
ユーザ情報とは、例えば、図４（ａ）のコンテンツ１メニュー５０１にも示されているように、そのユーザのユーザＩＤ、年齢、性別などのユーザ自身のプロファイル情報と、好きなジャンルやそのユーザの購入履歴などの二次情報である。
【００４７】
コンテンツ配信サーバ００は、送られてきた情報に基づき、コンテンツを配信するか否かの決定をおこなう。以下、この処理を図３のフローチャートにより説明する。
【００４８】
先ず、送られてきたユーザ情報に含まれるユーザＩＤにより認証をおこなう（Ｓ３０１）。正しくないときは、不正ユーザによるアクセスであると判定して、コンテンツの購入を拒否し、ダウンロード端末１０にその旨のメッセージを送信する（Ｓ３１１）。
【００４９】
次に、コンテンツ情報とユーザ情報の購入履歴を比較し、購入済みのコンテンツと一致するか否かを確認する（Ｓ３０２）。一致しないときには、コンテンツを不正入手したものと判断し、ダウンロード端末１０にその旨のメッセージを送信する（Ｓ３１２）。
【００５０】
次に、ユーザ情報を利用して、コンテンツ購入のための決済ができるか否かを確認する（Ｓ５０３）。例えば、ユーザの信用情報をクレジットカード会社に問い合わせる。決済ができないときには、購入不能と判断し、ダウンロード端末１０にその旨のメッセージを送信する（Ｓ３１３）。
【００５１】
追加のコンテンツを無料提供するときには、このＳ５０３のステップはなくてもよい。
【００５２】
次に、ディスクの識別情報を判断し、前回の購入のときの光ディスクの識別情報と同一のものであるか否かを判断し、同一のものでないときには、不正コピーされたものと判断して、ダウンロード端末１０にその旨のメッセージを送信する（Ｓ３１４）。
【００５３】
上記のＳ３０１〜Ｓ３０４の判定をパスした場合には、正規の購入手続きであると判断し、追加のコンテンツ購入を許可する（Ｓ３２０）
そして、ダウンロード端末１０は、ダウンロードした追加コンテンツを、光ディスク２００に書き込む。
（III）ユーザがコンテンツを再生する場合、コンテンツを追加購入する場合、情報を確認する場合のユーザインタフェース
ユーザが購入した光ディスクを、光ディスク記録再生装置により、再生するときには、例えば、ディスプレイに、図４に示されるように、コンテンツ１メニュー５０１が表示される。また、追加のコンテンツを購入した後には、コンテンツ２メニュー５０１も表示される。
【００５４】
コンテンツ１メニュー５０１からは、基本メニューの欄より、コンテンツの再生開始と、追加コンテンツの購入を指示することができる。
【００５５】
また、ユーザが光ディスク上に書き込まれたユーザ情報を確認したいときには、基本登録情報の欄の該当部分を選択し、指示することにより表示することができる。
【００５６】
コンテンツ２メニュー５０２からは、追加メニューの欄より、追加コンテンツの再生開始と、関連サイトのリンクの表示を指示することができる。
【００５７】
関連サイトのリンクを選択して、指示したときには、Ｗｅｂブラウザが立ち上がり、関連するＷｅｂページが表示される。
【００５８】
また、ユーザが光ディスク上に書き込まれた追加情報を確認したいときには、追加登録情報の欄の該当部分を選択し、指示することにより表示することができる。
【００５９】
ここでは、使用回数、使用期限を表示する例を示している。また、その他の追加情報としては、続編の予告情報、製作会社の紹介などが考えられる。
【００６０】
次に、図５を用いて本発明の第一の実施形態に係る光ディスクについて説明する。
図５は、本発明の第一の実施形態に係る光ディスクのデータ書き込みについて説明する図である。
【００６１】
本実施形態では、片面一層の記録形式の光ディスク媒体を説明する。
【００６２】
本実施形態の光ディスク２００は、図５（ａ）に示されるように、ディスクの識別情報２０１が書き込まれている。このディスクの識別情報２０１は、ディスクの正当性を確認するために用いられる。ユーザが最初のコンテンツ１（２０２）を購入した段階では、図５（ａ）に示されるように、光ディスク２００上に、コンテンツ１（２０２）と、ユーザ情報２１０が書き込まれている。
【００６３】
ユーザ情報とは、既に説明したように、そのユーザのユーザＩＤ、認証パスワード、氏名、年齢、性別、住所、電話番号、Ｅ−Ｍａｉｌアドレス、職場情報などのユーザ自身のプロファイル情報と、好きなジャンル、趣味、購入雑誌、新聞やそのユーザのコンテンツの購入履歴などの二次情報である。また、再生の期限、回数などにコンテンツに関する付加情報が含まれていてもよい。
【００６４】
コンテンツは、例えば、現在光ディスクで提供されている映画などの映像コンテンツ、音楽コンテンツ、ゲームのコンテンツなどが考えられる。
【００６５】
ユーザが追加のコンテンツ２（２０３）を購入した段階では、図５（ｂ）に示されるように、光ディスク２００上に、加えて、コンテンツ２（２０３）と、追加情報情報２１０が書き込まれている。
【００６６】
追加情報情報２１０とは、既に説明したように、追加コンテンツに関する使用回数や使用期限などの情報、また、その他の追加情報として、続編の予告情報、製作会社の紹介、広告などがある。
【００６７】
本実施形態のコンテンツの提供形態は、店側としては、ダウンロード端末１０にブランクディスクを用意しておき、初回のコンテンツもコンテンツ配信サーバ００よりダウンロードするので、コンテンツの在庫を持たなくてもよいという利点がある。
【００６８】
〔実施形態２〕
以下、本発明に係る第二の実施形態を、図６および図７を用いて説明する。
図６は、本発明の第二の実施形態に係るコンテンツ提供システムのハードウェア構成図である。
図７は、本発明の第二の実施形態に係る光ディスクのデータ書き込みについて説明する図である。
【００６９】
第一の実施形態では、店頭に置かれたダウンロード端末１０により、初回のコンテンツ購入と追加のコンテンツの購入をおこなう例であった。
【００７０】
本実施形態では、追加のコンテンツの購入をユーザのＰＣ（パーソナルコンピュータ）により、おこなう例である。
【００７１】
第一の実施形態によりコンテンツを購入したユーザは、自宅のＰＣ２０より、追加コンテンツを購入するときには、ＰＣ２０に内蔵された光ディスクドライブ２１に設置する。コンテンツ配信サーバ００は、第一の実施形態と同様の構成であり、インターネット６０より接続されている。
【００７２】
本実施形態の光ディスク２００には、初回のコンテンツの購入時には、第一の実施形態と同様に、ユーザ情報２１０に加えて、追加コンテンツ提供プログラム２３０が書き込まれている。光ディスク２００が光ディスクドライブ２１に設置されると自動実行により、または、ユーザの明示的な指定により、追加コンテンツ提供プログラム２３をメモリ２５上にロードして、制御部（ＣＰＵ）２２がこれを実行する。
【００７３】
追加コンテンツ提供プログラム２３は、光ディスク識別モジュール２３１、サーバＩ／Ｆモジュール２３２、書き込み制御モジュール２３３からなる。
【００７４】
追加コンテンツ提供プログラム２３が実行されると、光ディスク識別モジュール２３１により、差し込まれた光ディスク２００が追加コンテンツを書き込む対象であることを認識する。そして、サーバＩ／Ｆモジュール２３２は、ユーザ情報、コンテンツ情報、ディスクの識別情報を読み取ってコンテンツ配信サーバ００に送信する。
【００７５】
コンテンツ配信サーバ００で、購入が許可されると、追加するコンテンツがダウンロードされる。コンテンツ配信サーバ００で、購入を許可する手順は、第一の実施形態と同様である。追加コンテンツ提供プログラム２３のサーバＩ／Ｆモジュール２３２は、光ディスクに書き込むべき、追加コンテンツと追加情報を受け取り、書き込み制御モジュール２３３が、光ディスクにそれらを書き込むように、光ディスクドライブ２１に指示する。
【００７６】
本実施形態では、自宅のＰＣより追加コンテンツの購入がおこなえるので、気軽にコンテンツの購入ができるというメリットがあり、コンテンツ提供者にとっては、販売促進の効果を見込むことができる。
【００７７】
〔実施形態３〕
以下、本発明に係る第三の実施形態を、図８および図９を用いて説明する。
図８は、本発明の第三の実施形態に係るコンテンツ提供システムのシステム構成図である。
図９は、本発明の第三の実施形態に係る光ディスクのデータ書き込みについて説明する図である。
【００７８】
第一の実施形態では、専用のダウンロード端末により、初回のコンテンツを購入した後に、同じダウンロード端末によって、追加コンテンツを購入させるコンテンツの提供方法を説明した。
【００７９】
本実施形態では、初回のコンテンツは、既に光ディスクに書き込まれており、ユーザは、その光ディスクを購入後、追加のコンテンツを、ダウンロード端末や自宅のＰＣから購入するコンテンツの提供方法である。
【００８０】
本実施形態のコンテンツ提供システムは、ＰＯＳ端末３０とコンテンツ配信サーバ００がネットワーク５０により接続された形態である。
【００８１】
ＰＯＳ端末３０には、多機能リーダ３１が接続されており、コンテンツ配信サーバ００に、ネットワーク５０を介して、送信できるようになっている。
【００８２】
本実施形態の光ディスク２００は、図９（ａ）に示されるように、ディスクの識別情報２０１と、コンテンツ１（２０２）が書き込まれている。ユーザは、視聴したいコンテンツをパッケージ２００ｐを見て選択して購入する。
【００８３】
購入時には、ＰＯＳ端末３０に接続されている多機能リーダ３１により、会員カード２１０とディスクの識別情報を読み取って、コンテンツ配信サーバ００に送信する。これにより、会員カード２１０を有するユーザが、ディスクの識別情報を有する光ディスク上に記録されたコンテンツを購入した履歴が、コンテンツ配信サーバ００のデータベースに登録され、ディスクの識別情報とユーザ情報が結びつけられる。
【００８４】
ディスクの識別情報は、光ディスク２００の表面に印刷されていてもよいし、バーコード形式でパッケージに印刷されているものをバーコードリーダにより読み取ってもよい。
【００８５】
追加コンテンツを購入するときには、第一の実施形態と同様に、ダウンロード端末００から、光ディスク２００に書き込む方法と、第三の実施形態と同様に、自宅からＰＣ２０により、光ディスク２００に書き込む方法がある。
【００８６】
ただし、本実施形態での光ディスク２００は、ディスク上にユーザ情報が書き込まれていないので、コンテンツ配信サーバ００で、ユーザＩＤによる認証をおこなう場合には、ダウンロード端末００のときには、会員カード２１０をカードリーダ１８に読み取らせたり、ＰＣ端末のときには、ユーザＩＤとパスワードを入力するなどの手間が必要になる。
【００８７】
コンテンツ配信サーバ００が、送られてきた情報に基づき、コンテンツを配信するか否かの決定をおこなう処理については、第一の実施形態の図３により説明した処理と同様である。
【００８８】
本実施形態では、店側にコンテンツのパッケージの在庫を持たなくてはならないという制約があるものの、ユーザがコンテンツのパッケージを見て購入意欲を刺激されるという面もある。
【００８９】
〔実施形態４〕
以下、本発明に係る第四の実施形態を、図１０および図１１を用いて説明する。
図１０は、片面二層の記録形式の光ディスク媒体の例を説明する図である。
図１１は、両面の記録形式の光ディスク媒体の例を説明する図である。
【００９０】
第一の実施形態では、コンテンツ購入のための光ディスク２００として、片面一層の記録形式の光ディスク媒体を用いる例を説明した。
【００９１】
本実施形態は、コンテンツ購入のための光ディスク２００として、他の記録形式の光ディスク媒体を用いる例を説明した。
【００９２】
本発明は、第一の実施形態で説明した片面一層の形式の他に、図１０に示されるような片面二層の記録形式や図１１に示される両面の記録形式の光ディスク媒体を用いることができる。
【００９３】
図１０に示されるような片面二層の記録形式の場合には、一層目の記録層１（２２１）に、初回のコンテンツと、ユーザ情報を書き込み、二層目の記録層２（２２２）に、追加のコンテンツと追加情報を書き込むようにする。ただし、これは管理上こうすれば望ましいということであり、容量節約の観点からすると、一層目の記録層１（２２１）に、追加のコンテンツと追加情報を書き込むようにすることも可能である。
【００９４】
図１１に示されるようなＡ面２００ａとＢ面２００ｂを有する両面の記録形式の場合には、一面目の記録層Ａ（２３１）に、初回のコンテンツと、ユーザ情報を書き込み、二面目の記録層Ｂ（２３２）に、追加のコンテンツと追加情報を書き込むようにする。この場合にも、一面目の記録層Ａ（２３１）に、追加のコンテンツと追加情報を書き込むようにすることも可能である。
【００９５】
なお、両面の記録形式の場合、図１１（ｂ）に示されるように、光ピックアップ１３は、片面から照射するので、一面目の記録層Ａ（２３１）を記録、再生した後に、二面目の記録層Ｂ（２３２）を記録、再生するときには、光ディスクの上下の面を逆にして入れ直す必要がある。
【００９６】
また、図１０に示されるような片面二層の記録形式の場合には、一層目の記録層１（２２１）と二層目の記録層２（２２２）を、共に書き込み可能なＤＶＤ−ＲＷやＤＶＤ−Ｒの仕様にするのが通常のディスクの仕様であるが、一層目の記録層１（２２１）を、書き込み不可のＤＶＤ−ＲＯＭの仕様にし、二層目の記録層２（２２２）に、書き込み可能なＤＶＤ−ＲＷやＤＶＤ−Ｒの仕様にしてもよい。
【００９７】
この場合に、第三の実施形態では、ディスクの識別情報と初回のコンテンツのみが、読み取りのみができる一層目の記録層１（２２１）に記憶されており、その後に、書き込み可能な二層目の記録層２（２２２）に、追加のコンテンツと追加情報が記録される。
【００９８】
また、光ディスク２００の発行元が、予めユーザ情報を入手可能であり、そのユーザに対して、初回のコンテンツを提供するときには、ディスクの識別情報と初回のコンテンツに加えて、ユーザ情報も、読み取りのみができる一層目の記録層１（２２１）に記録して提供することができる。これは、コンテンツ提供会社が、「映画友の会」などのように会員制の購入形態として、ユーザの申し込みを受けて、ユーザ情報を入手し、コンテンツの書き込まれたメディアを郵便、宅配便などの配達手段により提供する場合が考えられる。
【００９９】
また、図１１に示されるような両面の記録形式の場合には、一面目の記録層Ａ（２３１）と二面目の記録層Ｂ（２３２）を、共に書き込み可能なＤＶＤ−ＲＷやＤＶＤ−Ｒの仕様にするのが通常のディスクの仕様であるが、一面目の記録層Ａ（２３１）を、書き込み不可のＤＶＤ−ＲＯＭの仕様にし、二面目の記録層Ｂ（２３２）に、書き込み可能なＤＶＤ−ＲＷやＤＶＤ−Ｒの仕様にしてもよい。
【０１００】
この場合には、初回のコンテンツを提供するときには、読み取りのみができる一面目の記録層Ａ（２３１）に、ディスクの識別情報、初回のコンテンツ、ユーザ情報（可能なとき）を記録して提供し、追加のコンテンツを購入するときに、二面目の記録層Ｂ（２３２）に追加のコンテンツと追加情報を記録する。
【０１０１】
〔その他の実施形態〕
上記の各実施形態では、コンテンツを書き込むメディアとして、ＣＤ、ＤＶＤ、Ｂｌｕ−ｒａｙ  Ｄｉｓｃ、ＨＤ  ＤＶＤに代表される光ディスクの場合に説明してきたが、初回のコンテンツ購入時に、ユーザ情報、コンテンツ、メディアの識別情報を書き込んで置き、コンテンツ配信サーバで、それらの情報に基づき追加のコンテンツ購入の可否判定をおこなうという本発明のアイディアは、その他のメディア、例えば、メモリスティック、ＣＦやＳＤなどのメモリカード、マイクロドライブなどのリムーバブルＨＤＤ、ＦＤなどの磁気ディスク、光磁気ディスクなどにも適用することができる。
【図面の簡単な説明】
【０１０２】
【図１】本発明の第一の実施形態に係るコンテンツ提供システムのシステム構成図である。
【図２】本発明の第一の実施形態に係るコンテンツ提供システムのハードウェア構成図である。
【図３】ユーザがコンテンツを購入するときの表示部１６に表示されるときの表示画面と光ディスクの内容を対比して示した図である。
【図４】コンテンツ配信サーバ上での処理を示すフローチャートである。
【図５】本発明の第一の実施形態に係る光ディスクのデータ書き込みについて説明する図である。
【図６】本発明の第二の実施形態に係るコンテンツ提供システムのハードウェア構成図である。
【図７】本発明の第二の実施形態に係る光ディスクのデータ書き込みについて説明する図である。
【図８】本発明の第三の実施形態に係るコンテンツ提供システムのシステム構成図である。
【図９】本発明の第三の実施形態に係る光ディスクのデータ書き込みについて説明する図である。
【図１０】片面二層の記録形式の光ディスク媒体の例を説明する図である。
【図１１】両面の記録形式の光ディスク媒体の例を説明する図である。
【符号の説明】
【０１０３】
００…コンテンツ配信サーバ、１０…ダウンロード端末、２０…ＰＣ。
【０１０４】
２００…光ディスク、２０１…識別情報、２０２…コンテンツ１、２０３…コンテンツ２、２１０…ユーザ情報、２１１…追加情報。
【図１】
2009093476.tif 000003
【図２】
2009093476.tif 000004
【図３】
2009093476.tif 000005
【図４】
2009093476.tif 000006
【図５】
2009093476.tif 000007
【図６】
2009093476.tif 000008
【図７】
2009093476.tif 000009
【図８】
2009093476.tif 000010
【図９】
2009093476.tif 000011
【図１０】
2009093476.tif 000012
【図１１】
2009093476.tif 000013